(57)【要約】【課題】前処理液を均一に塗工し、画像等の記録内容を高品位で記録可能なインクジェット記録装置の提供。【解決手段】前処理手段２と、記録手段３と、記録媒体１０を所定の搬送経路で前処理手段２及び記録手段３に導く搬送手段４と、前処理手段２のグラビアロール２０とバッキングロール２１との間を記録媒体１０の記録保証領域が連続的に略等速度で通過するようにグラビアロール２０を駆動させる制御手段７とを具備する。前記搬送経路における塗工位置Ａから記録位置Ｂまでの長さが、記録媒体１０が搬送手段４で搬送されるときのその記録保証領域の搬送方向における長さよりも長くなるように、グラビアロール２０、バッキングロール２１及び記録ヘッド３０が配されている。前記搬送経路に、送りロール４３で記録媒体１０を繰り出すときに、送りロール４３とバッキングロール２１との間で張力をかけずに記録媒体１０を搬送する部分を有する。【選択図】　図１
2004122392.tif 000002
【特許請求の範囲】
【請求項１】
帯状の記録媒体の被記録面に前処理液を塗工する前処理手段と、該前処理液が塗工された該被記録面にインクを噴射して記録を施す記録手段と、前記記録媒体をその長手方向に沿って所定の搬送経路で搬送して前記前処理手段及び前記記録手段に導く搬送手段とを具備し、
前記前処理手段がグラビアロール及び該グラビアロールに前記被記録面を押圧するバッキングロールを有し、前記記録手段が前記記録媒体の幅方向に沿って走査される記録ヘッドを有し、且つ前記搬送手段が前記記録ヘッドによる記録位置に前記記録媒体を所定のピッチで繰り出す送りロールを有するインクジェット記録装置において、
前記グラビアロールと前記バッキングロールとの間を前記記録媒体の記録保証領域が連続的に略等速度で通過するように該グラビアロールを駆動させる制御手段を具備しており、
前記記録媒体の前記搬送経路における、前記塗工位置から前記記録位置までの長さが、該記録媒体が前記搬送手段で搬送されるときのその記録保証領域の搬送方向における長さよりも長くなるように、前記グラビアロール、前記バッキングロール及び前記記録ヘッドが配されているとともに、
前記搬送手段による前記記録媒体の搬送経路に、前記送りロールで該記録媒体を繰り出すときに、該送りロールと前記バッキングロールとの間で張力をかけずに該記録媒体を搬送する部分を有しているインクジェット記録装置。
【請求項２】
前記搬送手段が、前記送りロールと前記バッキングロールとの間における前記記録媒体の張力を緩和させる張力緩和手段を有している請求項１記載のインクジェット記録装置。
【請求項３】
帯状の記録媒体の被記録面に前処理液を塗工する前処理手段と、該前処理液が塗工された該被記録面にインクを噴射して記録を施す記録手段と、前記記録媒体をその長手方向に沿って所定の搬送経路で搬送して前記前処理手段及び前記記録手段に導く搬送手段とを具備し、
前記前処理手段がグラビアロール及び該グラビアロールに前記被記録面を押圧するバッキングロールを有し、前記記録手段が前記記録媒体の幅方向に沿って走査される記録ヘッドを有し、且つ前記搬送手段が前記記録ヘッドによる記録位置に前記記録媒体を所定のピッチで繰り出す送りロールを有するインクジェット記録装置において、
前記グラビアロールと前記バッキングロールとの間を前記記録媒体の記録保証領域が連続的に略等速度で通過するように該グラビアロールを駆動させる制御手段と、
前記グラビアロールによる前記前処理液の塗工位置と前記記録ヘッドによる前記記録内容の記録位置との間に前記前処理が施された前記記録媒体を切断する切断手段とを具備しており、
前記記録媒体の前記搬送経路における、前記塗工位置から前記記録位置までの長さが、該記録媒体が前記搬送手段で搬送されるときのその記録保証領域の搬送方向における長さよりも長くなるように、前記グラビアロール、前記バッキングロール及び前記記録ヘッドが配されていることを特徴とするインクジェット記録装置。
【請求項４】
前記搬送手段による前記記録媒体の搬送経路に、前記送りロールで該記録媒体を繰り出すときに、該送りロールと前記バッキングロールとの間で張力をかけずに該記録媒体を搬送する部分を有している請求項３記載のインクジェット記録装置。
【請求項５】
前記搬送手段が、前記送りロールと前記バッキングロールとの間における前記記録媒体の張力を緩和させる張力緩和手段を有している請求項３又は４記載のインクジェット記録装置。
【請求項６】
前記記録手段により記録内容が記録された前記記録媒体を切断する別の切断手段を備えている請求項３〜５の何れかに記載のインクジェット記録装置。
【請求項７】
単票の記録媒体の被記録面に前処理液を塗工する前処理手段と、該前処理液が塗工された該被記録面にインクを噴射して記録を施す記録手段と、前記前処理手段から前記記録手段に前記記録媒体を所定の搬送経路で搬送する搬送手段とを具備し、
前記前処理手段がグラビアロール及び該グラビアロールに前記被記録面を押圧するバッキングロールを有し、且つ前記記録手段が前記記録媒体の搬送方向と略直交する方向に走査される記録ヘッドを有するインクジェット記録装置において、
前記グラビアロールと前記バッキングロールとの間を前記記録媒体の記録保証領域が連続的に略等速度で通過するように該グラビアロールを駆動させる制御手段を具備しており、
前記記録媒体の前記搬送経路における、前記グラビアロールによる前記前処理液の塗工位置から前記記録ヘッドによる前記記録内容の記録位置までの長さが、該記録媒体が前記搬送手段で搬送されるときのその記録保証領域の搬送方向における長さよりも長くなるように、前記グラビアロール、前記バッキングロール及び前記記録ヘッドが配されていることを特徴とするインクジェット記録装置。
【発明の詳細な説明】
【０００１】
【発明の属する技術分野】
本発明は、インクジェット記録装置に関わり、特に、記録媒体の表面に前処理を施した後にインクジェット記録方法によって文字、記号、画像等の記録内容を記録するインクジェット記録装置に関する。
【０００２】
【従来の技術及び発明が解決しようとする課題】
従来の一般的なシリアルインクジェット記録装置（プリンタ）は、ステップモータで駆動される送りロールによって、スタッカにセットされた記録媒体を巻き取ってプラテン位置に給送し、キャリッジに搭載された記録ヘッドの微小なノズルから各色インクの液滴を記録媒体の被記録面に向けて噴射し、文字、記号、画像等の記録内容を記録媒体に記録した後に、該記録媒体を排出するように設けられている。
【０００３】
前記キャリッジは、ステップモータによって駆動されるタイミングベルトに連結されているとともに、走査方向（主走査方向）に沿って配されたガイドレールに沿って往復移動可能に支持されており、タイミングベルトの回転伴って該走査方向に往復移動するように設けられている。
【０００４】
前記記録ヘッドには、通常、複数のカラーインクに対応したヘッドが一体化されたマルチヘッドが用いられ、各色のインクが個別に収容されたインクカートリッジを備えている。そして、記録媒体に記録内容を記録するときには、該記録ヘッドによる走査方向の記録動作と、記録用紙の搬送機構による記録用紙の走査方向（副走査方向）への紙送り動作とが交互に繰り返される。
【０００５】
一方、インクジェット記録方法では、染料や顔料等の色材を水に溶解又は分散させたものに、ノズルの目詰まり防止のためにグリセリンなどの水溶性高沸点溶剤が添加されたインクが用いられている。
しかし、上質紙、再生紙、ＰＰＣ用紙等のいわゆる普通紙にそのままインクを噴射すると紙の内部にインクが浸透してしまって十分な画像濃度が得られなくなったり、用紙表面の填料やサイズ等の不均一な分布に起因すると考えられる画像濃度のムラ（印刷ムラ）が生じたり、カラー印刷において異色の境界部分で色が滲んだり不均一に混ざり合ったりする（いわゆるカラーブリード）課題を有している。
【０００６】
そこで、上記課題を解決するため、インクの噴射に先だって、グラビアロールを用いた前処理手段で種々の前処理液を被記録面に塗工した後に、インクを噴射して印刷を行う印刷システムが提案されている（例えば、特許文献１参照。）。
【０００７】
【特許文献１】
特開平１１−１１５１６６号公報
【０００８】
しかしながら、この印刷システムを前述のようなシリアルインクジェット記録装置に適用した場合、記録ヘッドで記録用紙に記録が行われるときに、記録用紙の搬送機構による紙送り動作中にグラビアロールで塗工された部分に比べ、紙送り停止中にグラビアロールと接触していた部分に前処理液が多く塗工され、当該記録用紙の幅方向に亘ってすじ状の塗工ムラが多数形成されていた。このため、その後に記録ヘッドで記録される画像も前処理液の塗工ムラの影響を受けてしまい、高品位のインクジェット記録物を得ることができなかった。
【０００９】
従って、本発明の目的は、前処理液を均一に塗工することができ、高品位のインクジェット記録物を得ることができるインクジェット記録装置を提供することにある。
【００１０】
【課題を解決するための手段】
本発明は、帯状の記録媒体の被記録面に前処理液を塗工する前処理手段と、該前処理液が塗工された該被記録面にインクを噴射して記録を施す記録手段と、前記記録媒体をその長手方向に沿って所定の搬送経路で搬送して前記前処理手段及び前記記録手段に導く搬送手段とを具備し、
前記前処理手段がグラビアロール及び該グラビアロールに前記被記録面を押圧するバッキングロールを有し、前記記録手段が前記記録媒体の幅方向に沿って走査される記録ヘッドを有し、且つ前記搬送手段が前記記録ヘッドによる記録位置に前記記録媒体を所定のピッチで繰り出す送りロールを有するインクジェット記録装置において、
前記グラビアロールと前記バッキングロールとの間を前記記録媒体の記録保証領域が連続的に略等速度で通過するように該グラビアロールを駆動させる制御手段を具備しており、
前記記録媒体の前記搬送経路における、前記塗工位置から前記記録位置までの長さが、該記録媒体が前記搬送手段で搬送されるときのその記録保証領域の搬送方向における長さよりも長くなるように、前記グラビアロール、前記バッキングロール及び前記記録ヘッドが配されているとともに、
前記搬送手段による前記記録媒体の搬送経路に、前記送りロールで該記録媒体を繰り出すときに、該送りロールと前記バッキングロールとの間で張力をかけずに該記録媒体を搬送する部分を有しているインクジェット記録装置を提供することにより、前記目的を達成したものである。
【００１１】
また、本発明は、帯状の記録媒体の被記録面に前処理液を塗工する前処理手段と、該前処理液が塗工された該被記録面にインクを噴射して記録を施す記録手段と、前記記録媒体をその長手方向に沿って所定の搬送経路で搬送して前記前処理手段及び前記記録手段に導く搬送手段とを具備し、
前記前処理手段がグラビアロール及び該グラビアロールに前記被記録面を押圧するバッキングロールを有し、前記記録手段が前記記録媒体の幅方向に沿って走査される記録ヘッドを有し、且つ前記搬送手段が前記記録ヘッドによる記録位置に前記記録媒体を所定のピッチで繰り出す送りロールを有するインクジェット記録装置において、
前記グラビアロールと前記バッキングロールとの間を前記記録媒体の記録保証領域が連続的に略等速度で通過するように該グラビアロールを駆動させる制御手段と、
前記グラビアロールによる前記前処理液の塗工位置と前記記録ヘッドによる前記記録内容の記録位置との間に前記前処理が施された前記記録媒体を切断する切断手段とを具備しており、
前記記録媒体の前記搬送経路における、前記塗工位置から前記記録位置までの長さが、該記録媒体が前記搬送手段で搬送されるときのその記録保証領域の搬送方向における長さよりも長くなるように、前記グラビアロール、前記バッキングロール及び前記記録ヘッドが配されていることを特徴とするインクジェット記録装置を提供することにより、前記目的を達成したものである。
【００１２】
また、本発明は、単票の記録媒体の被記録面に前処理液を塗工する前処理手段と、該前処理液が塗工された該被記録面にインクを噴射して記録を施す記録手段と、前記前処理手段から前記記録手段に前記記録媒体を所定の搬送経路で搬送する搬送手段とを具備し、
前記前処理手段がグラビアロール及び該グラビアロールに前記被記録面を押圧するバッキングロールを有し、且つ前記記録手段が前記記録媒体の搬送方向と略直交する方向に走査される記録ヘッドを有するインクジェット記録装置において、
前記グラビアロールと前記バッキングロールとの間を前記記録媒体の記録保証領域が連続的に略等速度で通過するように該グラビアロールを駆動させる制御手段を具備しており、
前記記録媒体の前記搬送経路における、前記グラビアロールによる前記前処理液の塗工位置から前記記録ヘッドによる前記記録内容の記録位置までの長さが、前記記録媒体が前記搬送手段で搬送されるときのその記録保証領域の搬送方向における長さよりも長くなるように、前記グラビアロール、前記バッキングロール及び前記記録ヘッドが配されていることを特徴とするインクジェット記録装置を提供することにより、前記目的を達成したものである。
【００１３】
【発明の実施の形態】
以下、本発明のインクジェット記録装置を、その好ましい実施形態に基づいて、図面を参照しながら説明する。
【００１４】
図１及び図２は、本発明のインクジェット記録装置（以下、単に記録装置ともいう。）の第１実施形態を示すものである。図１中、符号１は記録装置、１０は帯状の記録用紙（記録媒体）を示している。
【００１５】
図１に示すように、記録装置１は、帯状の記録用紙１０の被記録面にグラビア塗工方法によって前処理液を塗工する前処理手段２と、該前処理液が塗工された該被記録面にインクジェット記録方法によってインクを噴射して文字、記号、画像等の記録内容を記録する記録手段３と、記録用紙１０をその長手方向に搬送して前記前処理手段２及び前記記録手段３に導く搬送手段４とを具備している。
【００１６】
また、本実施形態の記録装置１は、前記前処理手段２により前処理が施された記録用紙１０を切断する切断手段５と、前記記録手段３による記録を終えた記録用紙１０を所定長さに切断する切断手段６と、排紙された記録用紙１０を受けるトレイ７とを備えている。また、記録装置１は、上記各手段を制御する制御手段８（図２参照）を具備している。
【００１７】
前記前処理手段２は、グラビアロール２０と、グラビアロール２０に前記記録用紙１０の被記録面を押しつけるバッキングロール２１と、グラビアロール２０の表面の余分な前処理液を掻き取るドクターブレード２２と、グラビアロール２０が浸漬される処理液を湛えた処理液パン２３と、処理液パン２３に前処理液を循環させる循環路２４とを有している。循環路２４には、ポンプ２４ａ及びタンク２４ｂが配されており、タンク２４ｂは、補充タンク２４ｃを接続して前処理液が補充できるように設けられている。
【００１８】
前記前処理液は、従来からインクジェット記録方法に用いられているもの、即ち、水性顔料インクと接触してその分散又は溶解状態を破壊し、インク成分を凝集させ得るものであればよく、特に制限されない。一般的な前処理液としては、無機金属塩又は有機系カチオン物質等を凝集化剤とし、該凝集化剤を水に溶解させたものが挙げられる。該無機金属塩としては、塩化マグネシウム、硝酸マグネシウム、酢酸マグネシウム、硝酸カルシウム、酢酸カルシウム等が挙げられる。また、この他に、前処理液としては、例えば、本出願人の先の出願に係る特開平１０−１２０９５６号公報の他、特開平８−２０１５９号公報、特開平８−２０１６１号公報、特開平８−２０１６２号公報、特開平８−２０７２０号公報、特開平８−２５８０１号公報、特開平８−７２３９３号公報、特開平９−２７７６９３号公報、特許第２６７６６９９号公報、特許第２９９９７０号公報、特許第２７１１０９８号公報などに記載の前処理液を使用することができる。
【００１９】
前記記録手段３は、記録ヘッド３０と、記録ヘッド３０に対向配設されたプラテン３１と、記録ヘッド３０を記録用紙１０の幅方向（記録用紙の搬送方向と直交する方向）に沿って走査させる走査機構３２（図２参照）とを有している。
【００２０】
記録ヘッド３０は、インクジェット記録方式によりインクを噴射するものであればよく、いわゆるオンデマンド型、コンティニュアス型の何れでもよい。また、記録ヘッド自体に一体的にインクタンクが設けられたカートリッジタイプの記録ヘッドでもよく、記録ヘッドとは別に配置されたインクタンクからチューブなどを介してインクが供給されるタイプの記録ヘッドでもよい。
走査機構３２には、従来からシリアルインクジェット記録装置に用いられているものを特に制限無く用いることができる。
【００２１】
また、記録装置１に用いられるインクは、従来からインクジェット記録装置に用いられているものを特に制限無く用いることができる。インクジェット記録用の顔料インクは、水に着色剤として顔料を含有させたものが一般的であり、通常、保湿や浸透調整等のため、更に各種有機溶剤や界面活性剤等が含有されている。フルカラー画像を形成する場合は、イエロー、マゼンタ、シアンの減法混色の３原色のインク、あるいはこれにブラック、ライトマゼンタ、ライトシアンその他の色のインクを加えた４色以上のインクを用いる。
【００２２】
前記搬送手段４は、記録用紙１０の原反を回転自在に支持する支持軸４１と、記録用紙１０をグラビアロール２０とバッキングロール２１との間に導く対向ニップロールからなる給紙ロール４２と、記録用紙１０の搬送経路における前記記録ヘッド３０の上流位置に配され、記録ヘッド３０による記録位置に記録用紙１０を所定のピッチで繰り出す対向ニップロールからなるインフィードロール（送りロール）４３と、前記搬送経路における記録ヘッド３０の下流位置に配され、記録済みの記録用紙１０を繰り出す対向ニップロールからなるアウトフィードロール４４と、後述する切断手段６で切断された記録用紙１０をトレイ７に排出する対向ニップロールからなる排出ロール４５とを有している。
【００２３】
本実施形態の記録装置１は、前記記録用紙１０の前記搬送経路における、前記塗工位置Ａから前記記録位置Ｂまでの長さが、記録用紙１０が搬送手段４で搬送されるときのその記録保証領域の搬送方向における長さよりも長くなるように、前記グラビアロール２０、前記バッキングロール２１及び記録ヘッド３０が配されている。
【００２４】
本実施形態の記録装置１は、搬送手段４による前記記録用紙１０の搬送経路に、前記インフィードロール４３で前記記録用紙１０を繰り出すときに、インフィードロール４３と前記バッキングロール２１との間で記録用紙１０に張力をかけずに記録用紙１０を搬送する部分を有している。
【００２５】
本実施形態の記録装置１では、搬送手段４は、グラビアロール２０とバッキングロール２１との間を通過した記録用紙１０に張力をかけずに搬送する部分を設けて当該記録用紙１０を搬送する張力緩和手段４０を備えている。張力緩和手段４０は、グラビアロール２０とバッキングロール２１との間の前処理液塗工位置Ａと記録ヘッド３０による記録位置Ｂとの間に配されている。
【００２６】
本実施形態の記録装置１では、張力緩和手段４０は、コンベアユニット（無端軌道ユニット）４０ａで構成されている。このコンベアユニット４０ａは、コンベアに記録用紙１０を吸着するサクションユニット４０ｂを備えている。
【００２７】
前記切断手段５、６には、従来からシリアルインクジェット記録装置において記録媒体の切断に用いられているものを特に制限無く用いることができる。切断手段５は、塗工位置Ａから切断手段５による記録用紙１０の切断位置Ｄまでの余剰部分の発生を抑える観点から塗工位置Ａに可能な限り近づけて配置することが好ましい。
【００２８】
前記制御手段８は、各種センサー、入力パネル等の各種入力手段、ＲＯＭ、ＲＡＭ等の記憶手段（シーケンサー、データテーブル等）、演算処理装置（ＣＰＵ）、クロック、これらを繋ぐバス、パソコン等の上位装置とのインターフェース等を備えたマイコンユニット（図示せず）で構成されており、該入力手段から入力値、シーケンサーのシーケンス、或いは上位装置からの制御指示に応じた演算処理結果に基づいて、図２に示すように、グラビアロール２０、ポンプ２４ａ、記録ヘッド３０、記録ヘッド走査機構３２、コンベアユニット４０ａ、サクションユニット４０ｂ、給紙ロール４２、インフィードロール４３、アウトフィードロール４４、排紙ロール４５、切断手段５、６等を同期させてこれらの動作を制御するように設けられている。搬送経路における当該記録用紙１０の所定位置での位置決めは、従来からこの種の記録装置に用いられている手法を適宜用いることができる。
【００２９】
本実施形態の記録装置１においては、前記制御手段８は、記録用紙１０における一つの記録保証領域の全域が前記グラビアロール２０と前記バッキングロール２１との間を連続的に略等速度で通過するように、グラビアロール２０を駆動させるように設けられている。
【００３０】
また、前記制御手段８は、記録ヘッド３０で記録内容を記録するに伴ってインフィードロール４３で前記記録用紙１０が繰り出されるときに、インフィードロール４３と前記離脱位置Ｃとの間で記録用紙１０に張力がかからないようするため、前記グラビアロール２０の駆動に同期させて前記コンベアユニット４０ａ及びサクションユニット４０ｂの動作を制御し、コンベアユニット４０ａから記録用紙１０が離脱する離脱位置Ｃとインフィードロール４３との間において、当該記録用紙１０が張力のかからない緩んだ状態となるように設けられている。
【００３１】
上記構成の記録装置１の概略動作を説明する。
上記構成の記録装置１では、上位装置から記録指示を受けると、前記支持軸４１に記録用紙１０のロールセットされた記録用紙１０が当該記録指示に応じた所定長さ分だけ供給ロール４２によってグラビアロール２０とバッキングロール２１との間に導かれる。このとき、記録用紙１０は、その一つの記録保証領域の全域がグラビアロール２０とバッキングロール２１との間を連続的に等速度で通過するようにこれらのロールの間から繰り出される。所定長さの前処理が行われると、切断手段５によって記録用紙１０が切断される。
【００３２】
グラビアロール２０で前処理液が塗工された記録用紙１０は、前記コンベアユニット４０ａに導かれ、サクションユニット４０ｂで吸着された状態で搬送される。コンベアユニット４０ａの前記離脱位置Ｃを過ぎると、記録用紙１０は張力がかからない状態で湾曲しながらインフィードロール４３に導かれてニップされる。そして、プラテン３１上を通過してアウトフィードロール４４に導かれてニップされる。さらに、記録用紙１０の記録保証領域の先端が、記録ヘッド３０の記録位置Ｂ（ノズルの噴出口の対向位置）に位置するように決めされる。
【００３３】
記録用紙１０に記録内容を記録する場合には、前記インフィードロール４３及びアウトフィードロール４４が同期駆動され、記録用紙１０が所定のピッチで繰り出される。これに応じて走査機構３２によって記録ヘッド３０が記録用紙１０の幅方向に往復移動されながら所定量のインクがノズルから噴射される。この間、離脱位置Ｃと送りロール４３との間で張力が緩和されて緩んだ状態の記録用紙１０が消費される。このため、記録ヘッド３０による記録途中で、記録用紙１０の記録保証領域が前処理液の塗工位置Ａにおいて止まることがない。
【００３４】
記録用紙１０への記録内容の記録が終了すると、記録済みの記録用紙１０が排紙ロール４５まで導かれ、アウトフィードロール４４でニップされた状態で切断手段６で切断されて排紙ロール４５でトレイ７に排出される。
【００３５】
記録装置１では、上述のような記録ヘッド３０による記録動作に伴う記録用紙１０の搬送及び排紙が繰り返し行われる。
【００３６】
以上説明したように、本実施形態の記録装置１によれば、塗工位置Ａから記録位置Ｂまでの長さが、記録用紙１０が搬送手段４で搬送されるときのその記録保証領域の搬送方向における長さよりも長くなるように、グラビアロール２０、バッキングロール２１及び記録ヘッド３０が配され、記録用紙１０における一つの記録保証領域の全域がグラビアロール２０とバッキングロール２１との間を連続的に略等速度で通過し、インフィードロール４３で記録用紙１０が繰り出されるときに、記録用紙１０の搬送経路において、離脱位置Ｃとインフィードロール４３との間で当該記録用紙１０に張力がかからないように設けられているので、記録ヘッド３０による記録途中で、記録用紙１０の記録保証領域が前処理液の塗工位置Ａにおいて止まることがない。従って、従来のように記録用紙に前処理液のすじ状の塗工ムラが生じることを防ぐことができ、帯状の記録用紙１０においても、連続的に文字、記号、画像等の記録内容を高品位で記録することができる。
【００３７】
また、切断手段５によって、記録指令に応じた長さ分の前処理が施された記録用紙１０を切断するため、その後の記録を行う場合に、余剰部分が前処理液の塗工位置Ａと切断手段５の切断位置Ｄの長さ分で済み、記録用紙の無駄な使用量を抑えることができる。また、この余剰部分も切断手段６によって切断することができるため、余剰部分のない記録物を供給することができる。
【００３８】
図３及び図４は、本発明のインクジェット記録装置の第２実施形態を示すものである。これらの図中、符号１’は記録装置、１０’は単票の記録用紙、Ｒは記録用紙１０’の搬送経路を示している。また、前記第１実施形態の記録装置１と共通する部分については、同一符号を付し、その説明は省略する。従って、特に説明のない部分については、前記第１実施形態における説明が適宜適用される。
【００３９】
本実施形態の記録装置１’は、単票の記録用紙１０’の被記録面に前記前処理液を塗工する前処理手段２と、該前処理液が塗工された該被記録面にインクを噴射して文字、記号、画像等の記録内容を記録する記録手段３と、前処理手段２から記録手段３に記録用紙１０’を搬送する搬送手段４とを具備している。また、本実施形態の記録装置１’は、これら各手段を制御する制御手段８’（図４参照）、及び給紙ロール４２の上流側に給紙トレイ９を具備している。
【００４０】
本実施形態の記録装置１’は、前記搬送手段４による記録用紙１０’の搬送経路Ｒにおける、グラビアロール２０による前記前処理液の塗工位置Ａから前記記録ヘッド３０による記録内容の記録位置Ｂまでの長さが、記録媒体１０’が前記搬送経路で搬送されるときの当該記録媒体１０’の記録保証領域の搬送方向の長さよりも長くなるように、前記記録ヘッド３０、前記グラビアロール２０、バッキングロール２１及びインフィードロール４３が配されている。
【００４１】
前記制御手段８’は、第１実施形態と同様に、各種センサー、入力パネル等の各種入力手段、ＲＯＭ、ＲＡＭ等の記憶手段（シーケンサー、データテーブル等）、演算処理装置（ＣＰＵ）、クロック、これらを繋ぐバス、パソコン等の上位装置とのインターフェース等を備えたマイコンユニット（図示せず）で構成されており、該入力手段から入力値、シーケンサーのシーケンス、或いは上位装置からの制御指示に応じた演算処理結果に基づいて、図４に示すように、グラビアロール２０、ポンプ２４ａ、記録ヘッド３０、記録ヘッド走査機構３２、給紙ロール４２、インフィードロール４３、アウトフィードロール４４、排紙ロール４５等を同期させてこれらの動作を制御するように設けられている。
【００４２】
また、本実施形態の記録装置１においては、前記制御手段８’は、前記グラビアロール２０と前記バッキングロール２１との間を記録用紙１０’の記録保証領域の全域が連続的に略等速度で通過するように、グラビアロール２０を駆動させるように設けられている。
【００４３】
本実施形態の記録装置１’においては、給紙トレイ９にセットされた記録用紙１０’が給紙ロール４２によってグラビアロール２０とバッキングロール２１との間に導かれる。記録用紙１０’は、その記録保証領域の全域がグラビアロール２０とバッキングロール２１との間を連続的に等速度で通過するようにこれらのロールの間から繰り出される。これにより、グラビアロール２０の表面に供給された前処理液が記録用紙１０’の記録保証領域の全域に均一に塗工される。
【００４４】
グラビアロール２０で前処理液が塗工された記録用紙１０’は、インフィードロール４３及びアウトフィードロール４４に導かれ、これらでニップされる。そして、記録用紙１０’の記録保証領域の先端が、記録ヘッド３０の記録位置Ｂ（ノズルの噴出口の対向位置）に位置するように決めされる。
【００４５】
記録用紙１０’に記録内容を記録する場合には、前記インフィードロール４３及びアウトフィードロール４４が同期して駆動し、記録用紙１０’が所定のピッチで繰り出される。そして、これに応じて前記記録ヘッド３０が走査機構３２によって記録用紙１０’の幅方向に往復移動されながら所定量のインクがノズルから噴射される。
【００４６】
記録用紙１０’への記録内容の記録が終了すると、記録済みの記録用紙１０’が排紙ロール４５まで導かれ、トレイ６に排出される。またその一方で、給紙ロール４２を通じてグラビアロール２０とバッキングロール２１との間に新たな記録用紙１０’が供給され、グラビアロール２０とバッキングロール２１との間を記録用紙１０’記録保証領域の全域が連続的に略等速度で通過するように、グラビアロール２０が駆動される。
【００４７】
記録装置１’では、上述のような記録ヘッド３０による記録に伴う記録用紙１０’の搬送、排紙が繰り返し行われる。
【００４８】
以上説明したように、本実施形態の記録装置１’によれば、塗工位置Ａから前録位置Ｂまでの長さが、記録用紙１０が搬送手段４で搬送されるときのその記録保証領域の搬送方向における長さよりも長くなるように、グラビアロール２０、バッキングロール２１及び記録ヘッド３０が配され、一枚の記録用紙１０’の記録保証領域について、グラビアロール２０による記録保証領域の全域への前処理液の均一な塗工動作が終った後、該記録保証領域への記録ヘッド３０による記録動作が行われるので、前記第１実施形態の記録装置１と同様に、記録用紙１０’の記録保証領域がグラビアロール２０及びバッキングロールの途中で止まることがない。従って、従来のような記録用紙１０に前処理液のすじ状の塗工ムラが生じることを防ぐことができ、文字、記号、画像等の記録内容を高品位で記録することができる。
【００４９】
本発明は、前記実施形態に制限されるものではなく、本発明の趣旨を逸脱しない範囲において適宜変更することができる。
【００５０】
本発明のインクジェット記録装置は、前記第１実施形態におけるように、インフィードロール４３で前記記録用紙１０が繰り出されるときに、インフィードロール４３と前記バッキングロール２１との間で記録用紙１０に張力がかからないように、張力緩和手段４０を備えていることが好ましいが、張力緩和手段を用いずに、インフィードロールとバッキングロールとの間の記録用紙の搬送経路及びグラビアロールとインフィードロールとの駆動のタイミングを制御することによって、インフィードロール４３で前記記録用紙１０が繰り出されるときに、インフィードロール４３と前記バッキングロール２１との間で記録用紙１０に張力がかからないようにすることもできる。
【００５１】
本発明のインクジェット記録装置は、前記第１実施形態におけるように、切断手段５を備えていることが好ましいが、切断手段５は省略することもできる。
【００５２】
また、切断手段５は、前処理液の塗工位置Ａの下流側に配することが好ましいが、塗工位置Ａの上流側に配することもできる。
【００５３】
また、記録媒体の搬送手段には、必要に応じて、グラビアロールと記録媒体との接触角度を調整する角度調整ロールや、グラビアロールの上流側に搬送経路における記録媒体の張力を調整するエクスパンションロール等を備えていてもよい。
【００５４】
また、記録済みの被記録面に後処理液の塗工等が必要な場合には当該後処理液の塗工手段等を備えていてもよい。
【００５５】
本発明のインクジェット記録装置は、記録対象となる媒体に特に制限はなく、紙及び紙以外のシート状記録媒体であって前処理液がはじくことなく均一に塗布できる素材ならば適宜用いることができる。紙としては、非コート紙、コート紙、アート紙、インクジェット対応専用紙、新聞用原紙等が挙げられる。紙以外の該素材としては、合成樹脂フィルム、合成紙、不織布等が挙げられる。
【００５６】
【発明の効果】
本発明によれば、前処理液を均一に塗工することができ、文字、記号、画像等の記録内容を高品位で記録することができる。
【図面の簡単な説明】
【図１】本発明のインクジェット記録装置の第１実施形態を模式的に示す図である。
【図２】同実施形態のインクジェット記録装置の概略ブロック図である。
【図３】本発明のインクジェット記録装置の第２実施形態を模式的に示す図である。
【図４】同実施形態のインクジェット記録装置の概略ブロック図である。
【符号の説明】
１、１’　インクジェット記録装置
２　前処理手段
２０　グラビアロール
２１　バッキングロール
３　記録手段
３０　記録ヘッド
３１　プラテン
３２　走査機構
４　搬送手段
４０　張力緩和手段
４２　給紙ロール
４３　インフィードロール（送りロール）
４４　アウトフィードロール
４５　排紙ロール
５、６　切断手段
７　トレイ
８、８’　制御手段
９　給紙トレイ
Ａ　塗工位置
Ｂ　記録位置
Ｃ　離脱位置
Ｄ　切断位置
Ｒ　搬送経路
【図１】
2004122392.tif 000003
【図２】
2004122392.tif 000004
【図３】
2004122392.tif 000005
【図４】
2004122392.tif 000006